(57)【特許請求の範囲】
【請求項１】
所定の厚さと所定の幅と所定の長さを有する薄板状でアルミ製押出形材製のベース部材１０と、このベース部材１０の幅方向一端部に長手方向に連続して取付けた弾性材製のカバー部材２０で断面ほぼＬ字状で、
前記ベース部材１０は、板状部１１の幅方向一端寄りにカバー部材取付部を有し、このカバー部材取付部に、前記カバー部材２０の取付部２１を長手方向にスライド自在に嵌合して取付け、このカバー部材２０は板状部１１の裏面１１ａよりも突出し、
前記カバー部材２０の長手方向両端部がベース部材１０の長手方向両端部よりも突出し、
前記板状部１１の裏面１１ａにおける幅方向中間部に、当該板状部１１の幅方向取付け位置を決める位置決め片１２が長手方向全長に連続して一体的に設けてある建物用曲げ材。
【請求項２】
板状部１１の裏面１１ａにおける位置決め片１２よりも幅方向他側寄りに、板状部１１の長手方向全長に連続した切断用の溝１５を幅方向に間隔を置いて複数形成した請求項１記載の建物用曲げ材。
【請求項３】
前記位置決め片１２に切断用の溝１４を長手方向全長に連続して形成した請求項１又は２記載の建物用曲げ材。
【請求項４】
カバー部材２０は、取付部２１よりも先端部２２がベース部材１０の幅方向他端寄りとなるように傾斜している請求項１記載の建物用曲げ材。
【発明の詳細な説明】
【０００１】
【発明の属する技術分野】
本発明は、建物外装材であるサイディングを建物躯体に取付ける際に曲線的な開口部等の湾曲開口部に取付けてサイディングの端部を被覆する断面Ｌ字状の建物用曲げ材に関する。
【０００２】
【従来の技術】
特公平６−１３８１８号公報に開示された建物用曲げ材が知られている。この建物用曲げ材は図１に示すように、アルミ押出材製広幅板状の板状基部材１と、上下面に嵌合溝条２と嵌合突条３を有するアルミ押出材製細幅棒状の棒状端壁部材４とを備え、板状基部材１の側端位置に多数の棒状端壁部材４による直交端壁５を嵌合積上状に起立成形し、板状基部材１と直交端壁５で断面Ｌ字状としてある。
【０００３】
この建物用曲げ材は板状基部材１と各棒状端壁部材４を建物の湾曲部に合せて曲げ加工する。
【０００４】
【発明が解決しようとする課題】
前述の建物用曲げ材の曲げ加工は建物躯体の湾曲開口部に合せて手作業で行なっている。例えば湾曲加工部位に材木等を押し当てたり、あるいは相当程度このような措置を施した後、建物躯体の湾曲開口部に当接して当て木を介してハンマー等で押圧力を与えたりすることによって建物躯体の湾曲開口部形状に馴染ませる方法によって行なっている。
【０００５】
板状基部材１は前述のように手作業で曲げ加工し易いが、棒状端壁部材４は矩形状で剛性大のために前述のように手作業で曲げ加工する作業が煩雑で、かつ曲げ難いばかりか、曲げ加工治具を使用しなければならない。
【０００６】
また、複数の棒状端壁部材４を嵌合連結して直交端壁５としてあるので、曲げ加工した時に各棒状端壁部材４の端部位置が順次ずれるから、各棒状端壁部材４の端部近くを丸ノコ等の電動式切断工具で切断して端部位置を建物の湾曲部に合せて揃えるので、その作業に手間がかかる。
しかも、隣接した棒状端壁部材４間に線が見えるから、直交端壁５を見た時に複数本の線が見えて外観が見栄え悪い。
【０００７】
そこで、本発明は前述の課題を解決できるようにした建物用曲げ材を提供することを目的とする。
【０００８】
【課題を解決するための手段】
第１の発明は、所定の厚さと所定の幅と所定の長さを有する薄板状でアルミ製押出形材製のベース部材１０と、このベース部材１０の幅方向一端部に長手方向に連続して取付けた弾性材製のカバー部材２０で断面ほぼＬ字状で、
前記ベース部材１０は、板状部１１の幅方向一端寄りにカバー部材取付部を有し、このカバー部材取付部に、前記カバー部材２０の取付部２１を長手方向にスライド自在に嵌合して取付け、このカバー部材２０は板状部１１の裏面１１ａよりも突出し、
前記カバー部材２０の長手方向両端部がベース部材１０の長手方向両端部よりも突出し、
前記板状部１１の裏面１１ａにおける幅方向中間部に、当該板状部１１の幅方向取付け位置を決める位置決め片１２が長手方向全長に連続して一体的に設けてある建物用曲げ材である。
【０００９】
第２の発明は、第１の発明において、板状部１１の裏面１１ａにおける位置決め片１２よりも幅方向他側寄りに、板状部１１の長手方向全長に連続した切断用の溝１５を幅方向に間隔を置いて複数形成した建物用曲げ材である。
【００１０】
第３の発明は、第１又は第２の発明において、前記位置決め片１２に切断用の溝１４を長手方向全長に連続して形成した建物用曲げ材である。
【００１１】
第４の発明は、第１の発明において、カバー部材２０は、取付部２１よりも先端部２２がベース部材１０の幅方向他端寄りとなるように傾斜している建物用曲げ材である。
【００１２】
【作  用】
第１の発明によれば、ベース部材１０は薄板状であるから建物躯体の湾曲開口部に沿って容易に手作業で曲げることができるし、ベース部材１０のカバー部材取付部とカバー部材２０の取付部２１が長手方向に相対的にスライドし、しかもカバー部材２０は弾性材製であるからベース部材１０とともに曲げられるので、建物用曲げ材を手作業で容易に曲げることができると共に、加工治具等を使用しなくとも良い。
【００１３】
また、カバー部材２０の長手方向両端部をベース部材１０の長手方向両端部に揃える場合に、カバー部材２０のベース部材１０の長手方向両端部よりも突出している部分を、手動のカッタ等で容易に切断できるので、その作業が容易である。
【００１４】
また、カバー部材２０は連続しているから建物用曲げ材を取付けた状態でカバー部材２０を見ると連続した外観となるので、見栄えが良い。また、カバー部材２０は弾性変形するから、ベース部材１０を建物躯体の湾曲開口部に取付けた後にカバー部材２０を弾性変形して、その建物躯体に取付けたパネル材表面から離隔し、そのパネル材の端部をビスで固着する。この後にカバー部材２０を弾性復元してパネル材の端部近く及びビス頭部を覆うことができる。
【００１５】
また、ベース部材１０を建物躯体の湾曲開口部に取付ける際に、その位置決め片１２を建物躯体の一側面に接することで、そのベース部材１０の幅方向取付け位置を位置決め片１２で規制できるから、ベース部材１０を幅方向に容易に位置決めして取付けできる。
【００１６】
第２の発明によれば、板状部１１を切断用の溝１５から容易に切断でき、ベース部材１０の幅方向寸法を容易に調整できる。
【００１７】
第３の発明によれば、位置決め片１２を切断用の溝１４から容易に切断でき、その位置決め片１２の突出長さを容易に短くできる。
【００１８】
これによって、曲率半径を大きく曲げる時には位置決め片１２の突出長さを長くして板状部１１の補強の機能を持たせてベース部材１０の反り等を防止し、曲率半径を小さく曲げる時には位置決め片１２の突出長さを短くして容易に曲げることができる。
【００１９】
第４の発明によれば、建物躯体の湾曲開口部にベース部材１０を取付けた時に、カバー部材２０が、建物躯体に取付けたパネル材の表面に確実に圧着することができる。
【００２０】
【発明の実施の形態】
図２に示すように、所定の厚さａと幅ｂと長さｃを有する薄板状でアルミ押出形材のベース部材１０と、このベース部材１０の幅方向一端部に取付けた弾性材からなるカバー部材２０で建物用曲げ材としてある。
【００２１】
前記ベース部材１０は板状部１１と、この板状部１１の裏面１１ａ（厚さ方向一側面）における幅方向中間部に長手方向に連続して一体的に設けた位置決め片１２と、板状部１１の裏面１１ａにおける幅方向一端寄りに長手方向に連続して一体的に設けたカバー部材取付部、例えば凹条溝１３を有し、位置決め片１２の一側面１２ａには切断用の溝１４が長手方向に連続して形成してあり、板状部１１の裏面１１ａにおける位置決め片１２よりも幅方向他端寄りに複数の切断用の溝１５が幅方向に間隔を置いて形成してある。
【００２２】
前記カバー部材２０は凹条部１３に嵌合する取付部２１を有すると共に、取付部２１よりも先端部２２が板状部１１の幅方向他側部寄りとなるように傾斜している。このカバー部材２０はＥＰＤＭ等の安価なゴム材製の本体層２３と、その外表面に設けたハイパロンゴム等の着色可能で耐候性、耐食性に優れ、変色、ひび割れ等し難いゴム材製の表面層２４を有する２色成形押出材である。前記カバー部材２０の材質は前述のゴムに限ることなく、樹脂、その他のゴム等弾性を有するものであって品質を満足するものであれば何でも良い。
【００２３】
次に建物用曲げ材の使用例を説明する。
図３に示すように、既設建物の建物躯体３０の外面３０ａに必要に応じて防風透湿シート又は防水紙を貼り、その上に胴縁３１を間隔を置いて取付ける。建物躯体３０には湾曲開口部３２が形成してある。
【００２４】
ベース部材１０を必要長さ、例えば湾曲開口部３２の全長に合せて切断すると共に、ベース部材１０の幅を建物躯体３０の奥行き寸法Ｈに合せる。具体的には板状部１１に形成した複数の切断用の溝１５の１つで切断してベース部材１０の幅を建物躯体３０の奥行き寸法Ｈに合せる。
【００２５】
カバー部材２０をベース部材１０よりも若干（例えば３ｃｍ）長く切断する。図４に示すようにベース部材１０の凹条溝１３にシリコーン系などの離型剤を塗布して滑り易くし、カバー部材２０の取付部２１を凹条溝１３に長手方向からスライドして挿入する。図５に示すようにカバー部材２０の長手方向両端部をベース部材１０の長手方向両端部よりも若干（例えば１．５ｃｍ）突出してカバー部材２０をベース部材１０に取付ける。
【００２６】
図６に示すように、ベース部材１０を湾曲開口部３２に沿って曲げながら湾曲開口部３２にベース部材１０に仮取付けする。この時、カバー部材２０は弾性材製であるからスムーズに湾曲する。この後に図７に示すように位置決め片１２を胴縁３１に当接して位置決めし、板状部１１をビス３３で胴縁３１に固着して板状部１１の裏面１１ａを湾曲開口部３２、胴縁３１に接し、板状部１１の表面１１ｂ（厚さ方向他側面）が見えるようにする。
【００２７】
このようであるから、板状部１１の切断用の溝１５が見えないので見栄えが良い。また、位置決め片１２の突出長さは十分に長いので、容易に位置決めできるし、この位置決め片１２が板状部１１の補強の役割りを果し、ベース部材１０の反り等を防止している。なお、ベース部材１０を曲率半径が小さく曲げる場合には突出長さの長い位置決め片１２が曲げのさまたげとなって曲げにくくなるので、その場合には位置決め片１２を切断用の溝１４から切断して突出長さを短くして曲げやすくする。
【００２８】
図８に示すように、パネル材３４を胴縁３１間に跨って取付けて外壁を形成する。パネル材３４の長手方向端部を胴縁３１に固着する場合には、図９に仮想線で示すようにカバー部材２０をめくりながらビス３５をパネル材３４から胴縁３１に固着し、カバー部材２０を弾性復元してパネル材３４に圧着しビス３５の頭部３５ａを覆う。カバー部材２０は傾斜しているから弾性復元し易いし、パネル材３４に確実に圧着する。
【００２９】
図８に示すように、カバー部材２０の長手方向両端部のベース部材１０よりも突出した余分な部分２０ａをカッタで切断してカバー部材２０の長手方向両端部とベース部材１０の長手方向両端部を揃えて位置合せする。
【００３０】
次に本発明の第２の実施の形態を説明する。
図１０に示すように、ベース部材１０のカバー部材取付部を一対の突片１６でハ字形状とし、カバー部材２０の取付部２１をハ字形状の溝とする。この場合にはベース部材１０のカバー部材取付部とカバー部材２０の溝を嵌合してベース部材１０にカバー部材２０を取付け、図１１に示すように前述の第１の実施の形態と同様にして取付ける。
【００３１】
次に本発明の第３の実施の形態を説明する。
図１２に示すように、ベース部材１０のカバー部材取付部を幅方向一側方に開口した凹条溝１３とする。カバー部材２０は第１カバー部２５と第２カバー部２６でほぼＬ字形状であり、その第１カバー部２５に取付部２１が形成してある。カバー部材２０をベース部材１０に取付けると第１カバー２５が板状部１１とほぼ直角になり、第２カバー部２６が板状部１１の表面１１ｂと間隔を置いてほぼ平行となる。
【００３２】
この場合には図１３に示すように、第１カバー部２５で胴縁３１に取付けたパネル部材３４とビス３５の頭部３５ａを覆う。第２カバー部２６で湾曲開口部３２に取付けたパネル部材３６と、そのパネル部材３６を胴縁３１に固着するビス３７の頭部３７ａを覆う。
【００３３】
以上の各実施の形態では、位置決め片１２の一側面１２ａに切断用の溝１４を形成したが、反対側の側面に形成しても良い。また、位置決め片１２の形状は図１４に示すように幅広基部１２ｃと幅狭先部１２ｄで段付き形状とし、その幅広基部１２ｃの上面部分から幅狭先部１２ｄを切断するようにしても良い。
【００３４】
【発明の効果】
請求項１に係る発明によれば、ベース部材１０は薄板状であるから建物躯体の湾曲開口部に沿って容易に手作業で曲げることができるし、ベース部材１０のカバー部材取付部とカバー部材２０の取付部２１が長手方向に相対的にスライドし、しかもカバー部材２０は弾性材製であるからベース部材１０とともに曲げられるので、建物用曲げ材を手作業で容易に曲げることができると共に、加工治具等を使用しなくとも良い。
【００３５】
また、カバー部材２０の長手方向両端部をベース部材１０の長手方向両端部に揃える場合に、カバー部材２０のベース部材１０の長手方向両端部よりも突出している部分を、手動のカッタ等で容易に切断できるので、その作業が容易である。
【００３６】
また、カバー部材２０は連続しているから建物用曲げ材を取付けた状態でカバー部材２０を見ると連続した外観となるので、見栄えが良い。また、カバー部材２０は弾性変形するから、ベース部材１０を建物躯体の湾曲開口部に取付けた後にカバー部材２０を弾性変形して、その建物躯体に取付けたパネル材表面から離隔し、そのパネル材の端部をビスで固着する。この後にカバー部材２０を弾性復元してパネル材の端部近く及びビス頭部を覆うことができる。
【００３７】
また、ベース部材１０を建物躯体の湾曲開口部に取付ける際に、その位置決め片１２を建物躯体の一側面に接することで、そのベース部材１０の幅方向取付け位置を位置決め片１２で規制できるから、ベース部材１０を幅方向に容易に位置決めして取付けできる。
【００３８】
請求項２に係る発明によれば、板状部１１を切断用の溝１５から容易に切断でき、ベース部材１０の幅方向寸法を容易に調整できる。
【００３９】
請求項３に係る発明によれば、位置決め片１２を切断用の溝１４から容易に切断でき、その位置決め片１２の突出長さを容易に短くできる。
これによって、曲率半径を大きく曲げる時には位置決め片１２の突出長さを長くして板状部１１の補強の機能を持たせてベース部材１０の反り等を防止し、曲率半径を小さく曲げる時には位置決め片１２の突出長さを短くして容易に曲げることができる。
【００４０】
請求項４に係る発明によれば、建物躯体の湾曲開口部にベース部材１０を取付けた時に、カバー部材２０が、建物躯体に取付けたパネル材の表面に確実に圧着することができる。
【図面の簡単な説明】
【図１】従来の建物用曲げ材の断面図である。
【図２】本発明の建物用曲げ材の第１の実施の形態を示す斜視図である。
【図３】建物躯体に胴縁を取付けた状態の斜視図である。
【図４】ベース部材にカバー部材を取付ける状態の斜視図である。
【図５】ベース部材にカバー部材を取付けた状態の斜視図である。
【図６】建物用曲げ材を曲げた状態の斜視図である。
【図７】建物用曲げ材を取付けた状態の断面図である。
【図８】パネル材を取付けた状態の斜視図である。
【図９】パネル材を取付けた状態の断面図である。
【図１０】建物用曲げ材の第２の実施の形態を示す正面図である。
【図１１】取付け状態の断面図である。
【図１２】建物用曲げ材の第３の実施の形態を示す正面図である。
【図１３】取付け状態の断面図である。
【図１４】位置決め片の他の実施の形態を示すベース部材の正面図である。
【符号の説明】
１…板状基部材
４…棒状端壁部材
５…直交端壁
１０…ベース部材
１１…板状部
１２…位置決め片
１２ｃ…幅広基部
１２ｄ…幅狭先部
１３…凹条溝
１４…切断用の溝
１５…切断用の溝
１６…突片
２０…カバー部材
２１…取付部
２２…先端部
２３…本体層
２４…表面層
２５…第１カバー部
２６…第２カバー部
３０…建物躯体
３１…胴縁
３２…湾曲開口部
３３…ビス
３４…パネル材
３５…ビス
３６…パネル材
３７…ビス
【図１】
0003627167.tif 000002
【図２】
0003627167.tif 000003
【図３】
0003627167.tif 000004
【図４】
0003627167.tif 000005
【図５】
0003627167.tif 000006
【図６】
0003627167.tif 000007
【図７】
0003627167.tif 000008
【図８】
0003627167.tif 000009
【図９】
0003627167.tif 000010
【図１０】
0003627167.tif 000011
【図１１】
0003627167.tif 000012
【図１２】
0003627167.tif 000013
【図１３】
0003627167.tif 000014
【図１４】
0003627167.tif 000015